(57)【要約】  【課題】  生ごみ、生ごみを分解する微生物、及び水を処理槽内で撹拌することにより、微生物に生ごみを分解させる生ごみ処理装置において、設置スペースの問題を解消し、保守管理が容易な生ごみ処理装置を提供する。  【解決手段】  生ごみ処理装置１は、処理槽１１内へ水を供給する給水管１６と、給水管１６内の給水路を開閉する止水弁１６１と、給水管１６内の逆流を防止する逆止弁１６２と、給水管１６内の圧力を調整するバキュームブレーカ１６３とを備える。【選択図】      図１
2006297204.tif 000002
【特許請求の範囲】
【請求項１】
生ごみ、該生ごみを分解する微生物、及び該微生物を分散させる分散媒を処理槽で撹拌する生ごみ処理装置において、
前記処理槽へ分散媒を供給する分散媒供給管と、
該分散媒供給管内の供給路を開閉する開閉弁と、
前記分散媒供給管内の逆流を防止する逆止弁と、
前記分散媒供給管内の圧力を調整する圧力調整器と
を備えることを特徴とする生ごみ処理装置。
【請求項２】
生ごみ、該生ごみを分解する微生物、及び水を処理槽で撹拌する生ごみ処理装置において、
前記処理槽へ水を供給する給水管と、
該給水管内の給水路を開閉する止水弁と、
前記給水管内の逆流を防止する逆止弁と、
前記給水管内の圧力を調整する圧力調整器と
を備えることを特徴とする生ごみ処理装置。
【発明の詳細な説明】
【技術分野】
【０００１】
本発明は、生ごみと、該生ごみを分解する微生物と、該微生物を分散させる分散媒とを処理層で撹拌する生ごみ処理装置に関し、特に処理槽内の分散媒、例えば処理水の逆流を防止する生ごみ処理装置に関する。
【背景技術】
【０００２】
一般家庭又は飲食店での調理時に発生する生ごみを微生物により分解させる生ごみ処理装置が提案されている（例えば特許文献１参照。）。
【０００３】
図２は、従来の生ごみ処理装置の内部構成を示す概略図である。図２中１００は、生ごみ処理装置であり、生ごみ処理装置１００は、有底円筒状をなす処理槽１０１を備え、処理槽１０１の上底部には生ごみを投入する投入口１０２が開設されており、投入口１０２には、開閉する投入口蓋１０２１が設けられている。さらに処理槽１０１上面の中央には、駆動用モータ１０３が配設されており、駆動用モータ１０３は、処理槽１０１内を撹拌するスクリュー状の撹拌翼１０４を駆動する。また処理槽１０１の上部には、微生物を含む液体バイオを貯留する貯留槽１０５が配設されており、貯留槽１０５に貯留された液体バイオは、電磁弁１０５１が配設された供給管１０５２より処理槽１０１内へ供給される。さらに処理槽１０１の上部には、水を貯留するシスターンタンク１０６が配設されており、シスターンタンク１０６には、シスターンタンク１０６内に水を供給する給水弁１０６１及び給水弁１０６１に連動するボールタップ１０６２が配設されている。そしてシスターンタンク１０６に貯留された水は、電磁弁１０６３が配設された給水管１０６４より処理槽１０１内へ供給される。
【０００４】
そして生ごみ処理装置１００では、処理槽１０１内で、生ごみ、液体バイオ及び水を撹拌し、生ごみを液体バイオに含まれる微生物にて分解し、その処理水を、処理槽１０１に配設されているフィルタ１０７を介して配水管１０８から下水へ排水する。
【０００５】
なおシスターンタンク１０６内へは、ボールタップ１０６２と連動する給水弁１０６１を介して給水し、シスターンタンク１０６内を一定水面にした上で処理槽１０１内へ給水することにより、処理槽１０１内の汚水が逆流し、公共環境（給水源）の汚染を防止する。
【特許文献１】特開平１１−１０４５９８号公報
【発明の開示】
【発明が解決しようとする課題】
【０００６】
しかしながら従来の生ごみ処理装置では、処理槽への給水にシスターンタンクを用いていたため、シスターンタンクの設置スペースを確保しなければならないという問題がある。
【０００７】
またシスターンタンクの点検及び調整の作業量が大きいという保守管理に関する問題がある。
【０００８】
本発明は斯かる事情に鑑みてなされたものであり、給水管に止水弁、逆止弁及びバキュームブレーカを配設することにより、設置スペースの問題を解消し、保守管理を容易にすることが可能な生ごみ処理装置の提供を目的とする。
【課題を解決するための手段】
【０００９】
本発明に係る生ごみ処理装置は、生ごみ、該生ごみを分解する微生物、及び該微生物を分散させる分散媒を処理槽で撹拌する生ごみ処理装置において、前記処理槽へ分散媒を供給する分散媒供給管と、該分散媒供給管内の供給路を開閉する開閉弁と、前記分散媒供給管内の逆流を防止する逆止弁と、前記分散媒供給管内の圧力を調整する圧力調整器とを備えることを特徴とする。
【００１０】
本発明に係る生ごみ処理装置は、生ごみ、該生ごみを分解する微生物、及び水を処理槽で撹拌する生ごみ処理装置において、前記処理槽へ水を供給する給水管と、該給水管内の給水路を開閉する止水弁と、前記給水管内の逆流を防止する逆止弁と、前記給水管内の圧力を調整する圧力調整器とを備えることを特徴とする。
【００１１】
本発明に係る生ごみ処理装置では、分散媒を供給する分散媒供給管、例えば水を供給する給水管に、止水弁等の開閉弁、逆止弁、及びバキュームブレーカ等の圧力調整器を配設することにより、処理槽内の汚水が逆流し、公共環境（給水源）の汚染を防止すると共に、シスターンタンクを用いないので装置全体を小型化して設置スペースの問題を解消することが可能である。しかも止水弁、逆止弁及びバキュームブレーカは、シスターンタンクと比べて保守管理が容易である。
【発明の効果】
【００１２】
本発明の生ごみ処理装置は、生ごみ、生ごみを分解する微生物を含む液体バイオ、微生物を分散させる水等の分散媒を処理槽内で撹拌し、微生物により生ごみを分解する処理装置において、分散媒を供給する分散媒供給管、例えば水を供給する給水管に、給水管内の給水路を開閉する止水弁、給水管内の逆流を防止する逆止弁、及び給水管内の圧力を調整するバキュームブレーカ等の圧力調整器を配設する。
【００１３】
この構成により、本発明では、処理槽内の汚水が逆流し、公共環境（給水源）の汚染を防止すると共に、シスターンタンクを必要としないため、装置全体を小型化して設置スペースの問題を解消することが可能である等、優れた効果を奏する。しかも止水弁、逆止弁及びバキュームブレーカは、シスターンタンクと比べて保守管理が容易であるので、保守管理に要する作業量を低減することが可能である等、優れた効果を奏する。
【発明を実施するための最良の形態】
【００１４】
以下、本発明をその実施をするための形態を示す図面に基づいて詳述する。図１は、本発明の生ごみ処理装置の内部構成を示す概略図である。図１中１は、生ごみ処理装置であり、生ごみ処理装置１は、上底部及び下底部を有する有底円筒状をなす処理槽１１を備え、処理槽１１の上底側の縁部は面取りされた形状をなしている。
【００１５】
処理槽１１の上底部の面取りされた部位には、生ごみを投入する投入口１２が開設されており、投入口１２には、投入口１２を開閉するための投入口蓋１２１が設けられている。さらに処理槽１１の上面の中央には、駆動用モータ１３が配設されており、駆動用モータ１３は、処理槽１１内を撹拌するスクリュー状の撹拌翼１４を駆動する。
【００１６】
処理槽１１の上部には、微生物、特に生ごみを分解するバイオ菌を含む液体バイオを貯留する貯留槽１５が配設されており、貯留槽１５は、電磁弁１５１が配設された供給管１５２により処理槽１１と接続されている。そして貯留槽１５内に貯留された微生物を含む液体バイオは、電磁弁１５１を開くことにより、供給管１５２を介して処理槽１１内へ供給される。
【００１７】
さらに処理槽１１の上部には、微生物を分散させる分散媒として用いられる水を供給する給水管１６が配設されており、給水管１６には、給水管１６内の給水路を開閉する止水弁１６１と、給水管１６内の逆流を防止する逆止弁１６２と、給水管１６内の圧力を調整するバキュームブレーカ（圧力調整器）１６３とが配設されている。そして止水弁１６１及び逆止弁１６２を開くことにより、図示しない給水源から給水管１６を介して処理槽１１へ水が供給される。またバキュームブレーカ１６３は、給水管１６内が負圧状態となった場合に、処理槽１１内の液体が負圧により給水管１６内へ逆流することを防止するため、負圧箇所へ空気を供給し負圧破壊を行う機能を有する。
【００１８】
処理槽１１の側面には、処理槽１１内の液面を調整すべくフィルタ１７及び配水管１８が配設されており、処理槽１１内の液量の増加に応じて、処理槽１１内の処理水１１１は、フィルタ１７にて濾過された上で配水管１８から図示しない下水へ排水される。
【００１９】
次に本発明の生ごみ処理装置１の動作について説明する。先ず給水源から止水弁１６１、逆止弁１６２及びバキュームブレーカ１６３を配設された給水管１６を介して処理槽１１内へ、予め設定されている所定量の水が供給される。給水後、電磁弁１５１が動作することにより、貯留槽１５内に貯留された微生物を含む規定量の液体バイオは、供給管１５２を介して処理槽１１内へ供給される。生ごみ処理装置１を使用する使用者は、投入口蓋１２１を開いて投入口１２から処理槽１１内へ生ごみを投入する。
【００２０】
そして生ごみ処理装置１では、駆動用モータ１３が撹拌翼１４を駆動し、撹拌翼１４が駆動することにより、処理槽１１内の水、液体バイオ及び生ごみが撹拌され、液体バイオに含まれる微生物、即ちバイオ菌による生ごみの分解が開始される。駆動用モータ１３は、例えば５分間の駆動及び１５分間の休止を１サイクルとして間欠的に駆動する。
【００２１】
生ごみ処理装置１では、バイオ菌が活動するための酸素供給として、例えば３０分毎に４０リットルの水が給水管１６から処理槽１１内へ間欠的に供給され、例えば６時間毎に、貯留槽１５内に貯留された微生物を含む規定量の液体バイオが供給管１５２から処理槽１１内へ間欠的に供給される。そして生ごみ処理装置１内で、生ごみはバイオ菌に分解され消滅していく。なお給水により増加した処理槽１１内の処理水１１１は、フィルタ１７にて濾過された上で配水管１８から排水される。
【００２２】
給水管１６内が負圧状態となった場合、バキュームブレーカ１６３の作用により、負圧破壊が行われ、処理槽１１内の処理水１１１の逆流が防止されるので、公共環境の汚染が防止される。
【００２３】
前記実施の形態に示した生ごみ処理装置の構成はあくまでも一例であり、その用途、目的、反応系等に応じて様々な形態に展開することが可能である。例えば分散媒として、微生物の活動に好適な条件に成分を調整した流動体を用いる様にしても良い。
【図面の簡単な説明】
【００２４】
【図１】本発明の生ごみ処理装置の内部構成を示す概略図である。
【図２】従来の生ごみ処理装置の内部構成を示す概略図である。
【符号の説明】
【００２５】
１  生ごみ処理装置
１１  処理槽
１２  投入口
１３  駆動用モータ
１４  撹拌翼
１５  貯留槽
１５２  供給管
１６  給水管
１６１  止水弁
１６２  逆止弁
１６３  バキュームブレーカ（圧力調整器）
【図１】
2006297204.tif 000003
【図２】
2006297204.tif 000004